(57)【特許請求の範囲】
【請求項１】
火災感知器を作動させる作動手段を有する本体と、該本体の頂部に設けられ該火災感知器の取付面に当接させて該火災感知器の周囲空間を覆うフードと、試験者が該本体を該火災感知器に向けて支持する支持棒とを備え、
該フードの内面側に入射面を有し、該フードが該火災感知器を覆った際に、該火災感知器の作動確認灯の光を該取付面とは反対の方向へと偏向する偏向手段が該フードの外側面に設けられている試験器であって、
該フードは、該フードが該火災感知器を覆った際に、該取付面に向かって拡径するような略円錐台形に形成され、
該偏向手段は、該フードの外側面の傾斜に沿って設けられ、該作動確認灯の高さに関係なく、その光を該偏向手段に入射し、偏向することが可能であることを特徴とする試験器。
【請求項２】
前記偏向手段は、高さ方向に連続する複数のプリズムを有するプリズム群であることを特徴とする請求項１に記載の試験器。
【請求項３】
前記偏向手段は、前記フードの外側面に沿って高さ方向に複数設けられることを特徴する請求項１又は２に記載の試験器。
【発明の詳細な説明】
【技術分野】
【０００１】
本発明は、試験器及び試験方法に関し、より詳細には、火災感知器用の試験器及び 火災感知器の試験方法に関する。
【背景技術】
【０００２】
従来、建物等の施設に設置されて火災に伴う熱や煙等に基づいて火災を感知するスポット型の火災感知器を作動させて試験を行う試験器がある。このような試験器には、例えば、加熱試験器や加煙試験器が挙げられ、前者は、感熱式の火災感知器を加熱して作動させ、後者は、煙感知式の火災感知器に流動パラフィン等を含むエアロゾルを噴射して作動させることで各火災感知器の試験を行う。
【０００３】
これらの試験器は、一般に火災感知器を作動させるための熱やエアロゾルを発生させる試験器本体の頂部にフードを取り付け、これを試験する火災感知器の取付面（例えば、天井面）に当接させて火災感知器の周囲空間を覆う。このように試験対象の火災感知器の周囲空間を覆って熱やエアロゾルを与えることによって、火災感知器を効率よく作動させる（例えば、特許文献１を参照）。
【０００４】
一方、火災感知器には作動したときにその旨を表示する作動表示灯が備わる（例えば、特許文献２を参照）。試験器に設けるフードを透明又は半透明の素材で形成すると、この作動確認灯を視認できる。そして、試験器によって火災感知器を試験する試験者は、自らが試験した火災感知器の作動確認灯を、フード越しに視認することによって、当該火災感知器の作動を確認することができる。
【先行技術文献】
【特許文献】
【０００５】
【特許文献１】特開２０１２−１１８９６２号公報
【特許文献２】特開平１０−１１１９８８号公報
【発明の概要】
【発明が解決しようとする課題】
【０００６】
しかしながら、従来の試験器においては、試験者の位置によっては作動確認灯を視認することができない。試験者が作動確認灯をフード越しに視認できるようにするには、その視線が試験器の本体に遮られない必要がある。例えば、図１０（ａ）に示すように、作業者Ｈが試験する火災感知器Ｄの直下から所定距離離れることができれば、試験している火災感知器Ｄの作動確認灯Ｌは試験器本体１に遮られることなく視認することができる。しかし、図１０（ｂ）に示すように、試験者Ｈが試験する火災感知器Ｄの直下付近に位置する場合、フード３の直下に位置する試験器本体１によって視線を遮られることから、試験している火災感知器Ｄが作動したとしてもその作動確認灯Ｌの発光を視認できない。
【０００７】
そこで、本発明は、火災感知器を作動させて試験を行う試験器の直下に試験者が位置する場合でも、試験する火災感知器の作動確認灯の発光を視認することができる試験器を提供することを目的とする。
【課題を解決するための手段】
【０００８】
本発明は、火災感知器を作動させる作動手段を有する本体と、該本体の頂部に設けられ該火災感知器の取付面に当接させて該火災感知器の周囲空間を覆うフードと、試験者が該本体を該火災感知器に向けて支持する支持棒とを備え、該フードの内面側に入射面を有し、該フードが該火災感知器を覆った際に、該火災感知器の作動確認灯の光を該取付面とは反対の方向へと偏向する偏向手段が該フードの外側面に設けられている試験器であって、該フードは、該フードが該火災感知器を覆った際に、該取付面に向かって拡径するような略円錐台形に形成され、該偏向手段は、該フードの外側面の傾斜に沿って設けられ、該作動確認灯の高さに関係なく、その光を該偏向手段に入射し、偏向することが可能であることを特徴とする試験器である。
【００１０】
尚、本発明は、前記偏向手段を、高さ方向に連続する複数のプリズムを有するプリズム群とすることもできる。又、本発明は、前記偏向手段を、フードの側面に沿って高さ方向に複数設けられるものとすることが可能である。
【発明の効果】
【００１１】
本発明は、試験する火災感知器に備わる作動確認灯を、試験器本体に視線を遮られて視認できない位置の試験者からであっても、偏向手段を介して作動確認灯の発光を視認することができる。
【図面の簡単な説明】
【００１２】
【図１】本発明の偏向手段の一例を示す図である。
【図２】本発明の第１実施形態を示す部分断面図である。
【図３】本発明の第１〜３実施形態の偏向手段を示す要部拡大断面図である。
【図４】本発明の第２実施形態を示す図であり、（ａ）は正面図を、（ｂ）は底面図である。
【図５】本発明の第３実施形態を示す図であり、（ａ）は正面図を、（ｂ）は底面図である。
【図６】本発明の第４実施形態を示す図であり、（ａ）は正面図を、（ｂ）は底面図である。
【図７】本発明の第４実施形態の偏向手段を示す要部拡大断面図である。
【図８】本発明の第５実施形態を示す図であり、（ａ）は正面図を、（ｂ）は底面図である。
【図９】本発明の第５実施形態の偏向手段を示す要部拡大断面図である。
【図１０】従来例を示す図である。
【発明を実施するための形態】
【００１３】
本発明の第１実施形態を図１乃至図３に基づき説明する。先ず、試験器１００の構成について説明する。試験器１００は、例えば、天井面Ｃを取付面とし設置され、作動確認灯Ｌを有する、所謂、スポット型の火災感知器Ｄを試験対象とする。試験器１００は、本体１、支持具２及び本体１の頂部１ａに設けられたフード３を備えている。
【００１４】
本体１は、火災感知器Ｄを作動させるための、熱やエアロゾル等を与える作動手段を有している。当該熱やエアロゾル等は、本体１の頂部１ａより放射又は放出される。そのため、当該本体３の頂部１ａは、火災感知器Ｄを試験する際に、火災感知器Ｄと対向する位置にくるように設けられている。
【００１５】
支持具２は、棒状体の支持棒２ａ、その先端に取付けられ、試験器１００を支持する略コ字状の取り付け金具である ブラケット２ｂ、支持棒２ａとブラケット２ｂを回動可能に軸止するブラケット軸止部２ｃ及びブラケット２ｂの２つの先端側に設けられ、本体１の外装を軸止する本体軸止部２ｄとを有している。本体軸止部２ｄは、支持具２を除く試験器１００、つまり、フード３が取付けられた本体１の重心より上方にある本体１の側部と対向する位置に設けられている。
【００１６】
フード３は、火災感知器Ｄを試験する際、天井面Ｃと当接し、火災感知器Ｄの周囲空間を覆うことができるように、火災感知器Ｄを覆った際に、天井面Ｃ側となる側（上方側）が開口する略筒状体となっており、その外側面３ｂには、偏向手段であるプリズム４が設けられている。本実施形態においては、フード３は、火災感知器Ｄを覆った際に、天井面Ｃ側となる側に拡径する略円錐台形状をしているが、略円筒形その他の形状であってもよい。又、フード３は、火災感知器Ｄの作動確認灯Ｌを外部より透視して視認できる様に、 フード３全体又はその一部が透明又は半透明な素材によって形成されてもよく、偏向手段と併せることによって、広い方向から作動確認灯Ｌを視認することができるという相乗効果を奏する。
【００１７】
プリズム４は、フード３の内面３ａに入射面を有しており、フード３によって火災感知器Ｄを覆った際に、作動確認灯Ｌからの光を天井面Ｃとは反対方向（下方側）に偏向するものであり、例えば、図１に示す様な略三角柱状のプリズム４が選択される。プリズム４は、本実施形態の様にフード３の外側面３ｂの一部に設けてもよいが、フード３の外側面３ｂの全周に亘って設けてもよい。
【００１８】
次に、本実施形態を用いた火災感知器Ｄの試験方法について説明する。
（１）先ず、従来の試験器と同様に（図１０を参照）、フード３を天井面Ｃに当接させ、火災感知器Ｄの周囲空間をフード３で覆う。
（２）本体２の作動手段により、火災感知器Ｄを作動させる。この際、火災感知器Ｄが正常に作動したとすると、火災感知器Ｄの作動確認灯Ｌが発光する。
（３）作動確認灯Ｌの発光により生じた光は、フード３の内面３ａにある入射面よりプリズム４に入射される（図２、３を参照）。
（４）その後、当該光は、プリズム４によって偏向され、天井面Ｃとは反対方向（下方）に向かう光Ｅとなる（図２、３を参照）。
（５）試験者Ｈが、本体１によって作動確認灯Ｌからの光が遮られない位置にいる時は（図１０（ａ）を参照）、作動確認灯Ｌの発光を、フード３を介して直接、本体１によって作動確認灯Ｌからの光が遮られ、当該発光を直接視認できない時は（図１０（ｂ）を参照）、この光Ｅを確認することで、作動確認灯Ｌの発光の有無を確認する。このとき、プリズム４がフード３の外側面３ｂの一部に設けられ、プリズム４から見て作動確認灯Ｌが火災感知器Ｄにその光が遮られる位置にある場合は、支持棒２ａを回転させて、作動確認灯Ｌの光が遮られない位置までプリズム４を動かせばよい。 
【００１９】
尚、支持棒２の本体軸止部２ｄが試験器１００（但し、支持棒２を除く）の重心よりも高い位置にあることで、上記工程（１）及び（２）において、本体１及びフード３を支持棒２の傾きを変えても常に本体１の頂部を天井面Ｃの方向（つまり、上方）に向けることができ、本体１の頂部と天井面Ｃに取付けられた火災感知器Ｄの下面が常に対向させることが可能になる。なお、火災感知器Ｄの取付面が傾斜面や壁面であった場合は、フード３を取付面に当接させるように試験器１００を押しつけるようにすればよい。 
【００２０】
本発明の第２実施形態について、図１、図３及び図４に基づき説明する。第１実施形態にとの相違は、フード３の代わりに、外側面３ｂに複数のプリズム４が設けられたフード３０としたことである。それ以外の構成については、第１実施形態と同様であるので説明を省略する。
【００２１】
本実施形態において、フード３０は、火災感知器Ｄを覆った際に、天井面Ｃ側となる側に拡径する略円錐台形をしており、プリズム４は、火災感知器Ｄの作動確認灯Ｌの光を確認する際に、互いに邪魔とならない様、フード３０の外側面に沿って、異なる角度、且つ、異なる高さで設けられている。 
【００２２】
作動確認灯Ｌの位置は、火災感知器Ｄの機種によって異なる場合があるが、この様にすることで、作動確認灯Ｌの高さに関係なく、その光をプリズム４に入射し、偏向することが可能になる。
【００２３】
フード３０の形状は、第１実施形態と同様に上方に拡径する略円錐台形状とすることもできるが、図３及び図５に示す第３実施形態の様に略円筒状のフード３１ とすることもできる。第３実施形態の構成、作用、効果は、フード３１以外は第２実施形態と同様であるので説明を省略する。
【００２４】
本発明の第４実施形態について、図１、図６及び図７に基づき説明する。第１実施形態との相違は、プリズム４の代わりに複数のプリズムを有するプリズム群４１を設けたフード３２としたことである。それ以外の構成については、第１実施形態と同様であるので説明を省略する。
【００２５】
本実施形態のプリズム群４１は、高さ方向に連続する複数のプリズムを有しており、例えば、図１に示す様な略三角柱状のプリズムが連続するフレネルプリズムが選択させる。本実施形態においては、プリズム群４１を偏向手段として用いることで、高さ方向に切れ目なく火災感知器Ｄの作動確認灯Ｌの発光を視認することが可能となる。
【００２６】
本発明の第５実施形態を、図１、図８及び図９に基づき説明する。本実施形態と第１実施形態との相違は、フード３の代わりに、少なくとも外側面３ｂが、火災感知器Ｄを覆った際に天井面Ｃに向かって拡径するように段状に形成されたフード３３とし、各段差にプリズム４を設けたことである。それ以外の構成については、第１実施形態と同様であるので説明を省略する。
【００２７】
本実施形態のフード３３は、少なくも外側面３ｂが階段状に形成されており、換言すれば、外側面３ｂには、複数の段差が設けられていることとなる。又、フード３３は、当該外側面の段差毎に、プリズム４が形成されている。本実施形態において、プリズム４は、高さ方向に連続して設けられており、フード３３の外側面の段差は、これらプリズム４が、火災感知器Ｄの作動確認灯Ｌの光を確認する際に、互いに邪魔とならない様な形状に設けられている。尚、第２及び第３実施形態の様に、各段差に異なる角度でプリズム４を配置することも可能である。又、プリズム４の入射面のあるフード３３の内面３ａは、本実施形態の様に階段状に形成しても、他の実施形態の様に傾斜状に形成してもよい。
【００２８】
本実施形態においては、フード３３の外側面を階段状とし、各段差に複数のプリズム４を配置したので、第２及び第３実施形態と同様に作動確認灯Ｌの高さに関係なく、その光をプリズム４に入射し、偏向することが可能になる。
【００２９】
本発明を、上記実施形態に基づき説明したが、本発明は、上記実施形態に限定されるものではなく、発明の要旨を変更しない範囲で適宜変更可能である。例えば、フード３，３０，３１，３２，３３の強度等を高めるためにフード３，３０，３１，３２，３３を不透明な金属等の素材で形成することもできる。この場合、試験者Ｈが比較的離れた位置にいても、火災感知器Ｄの作動確認灯Ｌの光を視認できる様に、透明又は半透明の窓（図示せず）を設けてもよい。
【００３０】
又、偏向手段（プリズム４又はプリズム群４１）は、フード３，３０，３１，３２，３３と一体としてもよく、又、別体とし、嵌合等の手段によってフード３，３０，３１，３２，３３に取付ける様にしてもよい。偏向手段４，４１をフード３，３０，３１，３２，３３とは別体とする場合は、その入射面がフード３，３０，３１，３２，３３の内面３ａ側にくるように取付けられる。このようにすることで、偏向手段が取付けられたフードをより容易に形成することができる。また、プリズム４に代えて、少なくとも、プリズム４の入射面を透明部材で形成するとともに、プリズム４の反射面である傾斜面をミラーで形成するようにしてもよい。
【符号の説明】
【００３１】
１００…試験器、１…本体、１ａ…頂部、２…支持具、２ａ…支持棒、２ｂ…ブラケット、２ｃ…ブラケット軸止部、２ｄ…本体軸止部、３，３０，３１，３２，３３…フード、３ａ…内面、３ｂ…外側面、４…プリズム、４１…プリズム群、Ｄ…火災感知器、Ｌ…作動確認灯、Ｃ…天井面、Ｆ…床面、Ｈ…作業員
【図１】
0006587470.tif 000002
【図２】
0006587470.tif 000003
【図３】
0006587470.tif 000004
【図４】
0006587470.tif 000005
【図５】
0006587470.tif 000006
【図６】
0006587470.tif 000007
【図７】
0006587470.tif 000008
【図８】
0006587470.tif 000009
【図９】
0006587470.tif 000010
【図１０】
0006587470.tif 000011